(57)【特許請求の範囲】
【請求項１】
アンテナが受信した高周波の所望信号に、この所望信号の受信チャネルのセンタ周波数に一致する周波数に設定された局部発振器信号をミキシングするダイレクトコンバージョンミクサ、このダイレクトコンバージョンミクサからの出力信号に含まれる直流成分を除去する直流成分除去手段を含み、前記所望信号をベースバンド信号に変換する受信部と、所望の周波数のクロック信号により駆動される電子部品を備えた携帯通信端末において、
前記電子部品に供給される前記クロック信号の周波数は、前記受信チャネルのセンタ周波数にクロック信号の高調波が干渉する周波数に設定することを特徴とする携帯通信端末。
【請求項２】
電子部品に供給するクロック信号は、ダイレクトコンバージョンミクサに供給される局部発振器信号の基準となる基準発振器の出力信号を利用することを特徴とする請求項１に記載の携帯通信端末。
【請求項３】
電子部品に供給するクロック信号は、ダイレクトコンバージョンミクサに供給される局部発振器信号の基準となる基準発振器の出力信号を基準として、新たに生成するクロック信号生成手段を利用して生成されることを特徴とする請求項１または２に記載の携帯通信端末。
【請求項４】
クロック信号は、受信チャネルのチャネル間隔の整数倍となる周波数に設定されることを特徴とする請求項１から３のいずれか一項に記載の携帯通信端末。
【請求項５】
ＧＳＭ（Global System for Mobile communications）方式で通信を行う場合に、クロック信号は、受信チャネルのチャネル間隔である０．２ＭＨｚの整数倍で表される周波数に設定されることを特徴とする請求項１から３のいずれか一項に記載の携帯通信端末。
【請求項６】
地上波デジタルテレビ放送を受信する機能を備えている場合に、クロック信号は、６ＭＨｚの整数倍で表される周波数に設定されることを特徴とする請求項１から３のいずれか一項に記載の携帯通信端末。
【請求項７】
Ｗ−ＣＤＭＡ（Wideband Code Division Multiple Access）方式で通信を行う場合に、クロック信号は、３０．０ＭＨｚの周波数に設定されることを特徴とする請求項１から５のいずれか一項に記載の携帯通信端末。
【発明の詳細な説明】
【技術分野】
【０００１】
本発明は、カメラやディスプレイ、メモリなど電子部品を駆動するためのクロックに起因するノイズを抑制する携帯通信端末に関する。
【背景技術】
【０００２】
近年、携帯電話など携帯通信端末は大容量のデータを送受信できるようになっており、また、画素数の高いカメラやディスプレイ、容量の大きいメモリなどを備えることにより、取り扱うことができるデータ量が大きくなっている。メモリに大容量データの読み出しや書き込みを行うため、メモリを駆動するクロックを高速化する必要がある。しかし、クロックを高速化することによりノイズが増大する。
【０００３】
図７は、一般的な携帯電話機の構成を示すブロック図である。図７において、表示部１１の信号線１１ａや、カメラ１０の信号線１０ａは、フレキシブルケーブル等を用いて携帯電話機の内部を引き回されていることが多い。フレキシブルケーブルはノイズを放射しやすいので、フレキシブルケーブルを通る信号のノイズが大きい場合には、そこから放射される高周波ノイズがアンテナに干渉するという現象が生じる。このように、携帯電話の受信帯域に高周波ノイズが干渉する場合には、携帯電話の受信性能が劣化することとなるため、受信性能の劣化を軽減する手段を講じる必要がある。
【０００４】
図７において、例えば表示部の信号線に高周波ノイズ抑制のための磁性シート２１を施したり、また、信号線に高周波ノイズ抑制のためのフィルタ２２を施したりするなど、シールド対策部材を用いて受信性能の劣化を軽減させる点が特許文献１に開示されている。
【０００５】
【特許文献１】特開２００５―１８４１９５号公報
【０００６】
また、ダイレクトコンバージョン方式の受信機は、局部発振器からの信号がミクサ入力部に干渉し、セルフミキシングによるＤＣオフセットが発生するという課題がある。この課題を解決するため、ＤＣカットコンデンサを用いてＤＣオフセットをキャンセルする点が特許文献２に開示されている。
【０００７】
【特許文献２】特開平１１―２２５１７９号公報
【発明の開示】
【発明が解決しようとする課題】
【０００８】
ところで、フレキシブルケーブルから放射されるノイズを抑制するために、シールド対策部材を用いると、このシールド対策部材を実装する空間や基板上に一定の実装面積が必要となるので、携帯電話機の小型化、薄型化を図るうえで好ましくない。
【課題を解決するための手段】
【０００９】
本発明に係る携帯通信端末は、アンテナが受信した高周波の所望信号に、この所望信号の受信チャネルのセンタ周波数に一致する周波数に設定された局部発振器信号をミキシングするダイレクトコンバージョンミクサ、このダイレクトコンバージョンミクサからの出力信号に含まれる直流成分を除去する直流成分除去手段を含み、所望信号をベースバンド信号に変換する受信部と、所望の周波数のクロック信号により駆動される電子部品を備え、電子部品に供給されるクロック信号の周波数は、受信チャネルのセンタ周波数にクロック信号の高調波が干渉する周波数に設定するものである。
【発明の効果】
【００１０】
本発明に係る携帯通信端末は、アンテナが受信した高周波の所望信号に、この所望信号の受信チャネルのセンタ周波数に一致する周波数に設定された局部発振器信号をミキシングするダイレクトコンバージョンミクサ、このダイレクトコンバージョンミクサからの出力信号に含まれる直流成分を除去する直流成分除去手段を含み、所望信号をベースバンド信号に変換する受信部と、所望の周波数のクロック信号により駆動される電子部品を備え、電子部品に供給されるクロック信号の周波数は、受信チャネルのセンタ周波数にクロック信号の高調波が干渉する周波数に設定するので、メモリなどの電子部品を駆動するためのクロック信号の高調波が、高周波ノイズとしてダイレクトコンバージョンミクサの入力信号に干渉した場合に、受信性能の劣化の軽減が可能である。つまり、表示部の信号線などに従来必要であった高周波ノイズ抑制のための磁性シートや、フィルタなどのシールド対策部材が不要となり、携帯電話機の小型化・薄型化・低価格化が可能となる。
【発明を実施するための最良の形態】
【００１１】
実施の形態１．
図１は、本発明に係る携帯通信端末の構成を示すブロック図である。図１において、アンテナ１により受信された受信信号はアンテナ共用器２を介して受信部３及び信号処理部５に入力される。受信部３及び信号処理部５において、復調、音声復号化、デジタル信号からアナログ信号への変換、受話音声の利得調整などの処理が施されて、受話部であるレシーバ７に出力される。この受信部３にはダイレクトコンバージョン方式のミクサが設けられている。逆に、マイク６から入力された利用者の音声（話者音声）は信号処理部５及び送信部４において、アナログ信号からデジタル信号への変換、音声符号化、変調処理、電力増幅などの処理を施して、アンテナ１を介して外部に送信する。制御部９は、携帯電話機の送受信機能やメモリ２０に記憶されたアプリケーションソフトによる処理、操作部８から入力されたユーザの指示に応じて携帯電話機全般の機能を制御する。また、カメラ１０や液晶ディスプレイなどの表示部１１を備える。さらに、制御部９、表示部１１、カメラ１０、操作部８、メモリ２０を駆動するためのクロックを供給する基準発振器１３ａ、受信部３のダイレクトコンバージョンミクサおよび送信部４にクロックを供給する基準発振器１３ｂが設けられている。
【００１２】
図２は、ダイレクトコンバージョンミクサ方式の受信部３の構成を示すブロック図である。図２に一例として示すダイレクトコンバージョン受信機は、局部発振器からの局部発振器信号がミクサ入力部に干渉して発生するＤＣオフセットをキャンセルするため、ＤＣカットコンデンサ１１を備えている。以下、動作説明を行う。図１の受信部３に入力された高周波の所望信号は、ダイレクトコンバージョンミクサ１２にて局部発振器１８から入力される局部発振器信号とミキシングされてベースバンド信号に変換される。局部発振器１８は、一般に、ＰＬＬ（Phase Lock Loop）シンセサイザが用いられ、基準発振器１３ｂの信号を基準にダイレクトコンバージョンミクサ１２に出力する局部発振器信号を生成している。ダイレクトコンバージョンミクサ１２から出力される所望信号は非常に微弱であるため、フィルタ１４で所望の周波数帯以外の不要周波数成分が除去された後、増幅器１５にて後段のＡ／Ｄ変換器１７の動作許容範囲を超えない程度に増幅される。ＤＣオフセットのキャンセル機能を有するＤＣカットコンデンサ１６はＤＣオフセット成分を除去した後、Ａ／Ｄ変換器１７にてデジタル信号化され、信号処理部５に出力される。局部発振器１８が供給する局部発振器信号の周波数は、所望信号が含まれる受信チャネルのセンタ周波数と一致するように設定される。
【００１３】
ここで、ＤＣカットコンデンサ１６によるＤＣオフセットのキャンセル機能について説明する。図３は、ＤＣカットコンデンサによるＤＣオフセットをキャンセルする処理を説明する説明図である。図３(ａ)はダイレクトコンバージョンミクサ１２の入力信号、図３（ｂ）はダイレクトコンバージョンミクサ１２からの出力信号、図３（ｃ）はＤＣカットコンデンサ１６から出力され、Ａ／Ｄ変換器１７に入力される信号を示す。細い点線は受信チャネル（所望信号）のセンタ周波数、太線は局部発振器１８からの干渉信号、太い点線は抑圧された干渉信号、網掛け部は所望信号を示す。
【００１４】
通常、ダイレクトコンバージョンミクサ１２においては、局部発振器１８により生成された局部発振器信号がダイレクトコンバージョンミクサ１２の入力部に回り込む干渉が生じるので、ダイレクトコンバージョンミクサ１２に入力される信号には所望信号のほか、局部発振器１８からの干渉信号が含まれる。図３（ａ）は、ダイレクトコンバージョンミクサ１２への入力信号に含まれる所望信号に、当該受信チャネル（所望信号）のセンタ周波数と等しい周波数成分である局部発振器１８からの干渉信号が含まれることが示されている。
【００１５】
ダイレクトコンバージョンミクサ１２では局部発振器１８の周波数は所望信号のセンタ周波数に等しいため、ミクサ入力部への干渉信号は、ダイレクトコンバージョンミクサ１２にて同一周波数でのミキシング動作となることからＤＣ（直流）成分として出力される。図３（ｂ）は、ベースバンド信号に変換された所望信号に、セルフミキシングされた干渉信号がＤＣ成分として含まれることが示されている。一般に、この局部発振器からの干渉信号に対するミキシング動作をセルフミキシングと称する。このような不要なＤＣ成分は所望信号に含まれるノイズ成分となり、受信性能の劣化要因となる。この不要なＤＣ成分を排除するためのＤＣオフセットのキャンセル機能がダイレクトコンバージョン受信機には搭載されることが好ましい。ＤＣオフセットのキャンセル機能として例えばＤＣカットコンデンサ１６を用いた場合には、図３(ｃ)に示されるように、セルフミキシングされた干渉信号であるＤＣ成分は、ＤＣオフセットのキャンセル機能により抑圧される。
【００１６】
上記説明のとおり、ダイレクトコンバージョンミクサ１２への入力側に、局部発振器１８からの局部発振器信号が干渉することによる受信性能劣化を軽減することができる。しかし、局部発振器信号とは周波数の異なる、例えば、メモリやカメラ、液晶ディスプレイを駆動するためのクロック信号の高調波が、アンテナや受信部に高周波ノイズとして干渉した場合には、上記説明のＤＣオフセットキャンセル処理によっては、受信性能の劣化を軽減することができない。図４は、局部発振器信号以外の周波数の信号がノイズとしてミクサ入力側に干渉した場合の処理を説明する説明図である。図４（ａ）はダイレクトコンバージョンミクサに入力される信号、図４（ｂ）はＡ／Ｄ変換器に入力される信号を示す。図４において、点線は受信チャネル（所望信号）のセンタ周波数、太線はノイズ、網掛け部は所望信号を示す。
【００１７】
局部発振器１８からの局部発振器信号と異なる周波数、つまり、受信チャネルのセンタ周波数（＝局部発振器信号の周波数）と異なる周波数の信号が、ダイレクトコンバージョンミクサ１２の入力側で干渉し、図４（ａ）のように所望信号と混在すると、この干渉信号は高周波ノイズ成分として所望信号に含まれることになる。高周波ノイズ成分を含む所望信号は、ダイレクトコンバージョンミクサ１２にてベースバンド信号に変換され、増幅器１５を介してＡ／Ｄ変換器１７に出力される。高周波ノイズ成分が所望信号のセンタ周波数、すなわち局部発振器信号の周波数と異なる場合、高周波ノイズ成分はダイレクトコンバージョンミクサ１２でベースバンド信号に変換される際にＤＣ成分にならない。つまり、図４（ｂ）に示すように、ベースバンド信号に変換されたノイズ成分はＤＣ成分となることなく、そのまま出力されるのでＤＣカットコンデンサ１６によって除去することができない。このためノイズが所望信号に重畳する影響により、受信性能の劣化が生じる。
【００１８】
そこで、本発明に係る携帯通信端末は、表示部１１、カメラ１０、操作部８、メモリ２０を動作させるための基準信号（クロック信号）の周波数を、例えば、ＧＳＭ（Global System for Mobile communications）のような使用する無線通信システムの受信チャネルのセンタ周波数に基準信号（クロック）の高調波が干渉させるように設定することとした。つまり、基準発振器１３ａは、表示部１１、カメラ１０、操作部８、メモリ２０に供給する基準信号（クロック）の周波数を、受信チャネルのセンタ周波数にクロックの高調波が干渉するように選択する。
【００１９】
ＧＳＭシステムでは、９２５．２ＭＨｚ〜９５９．８ＭＨｚまでのおよそ３５ＭＨｚの周波数帯域において０．２ＭＨｚのチャネル間隔であり、０．２ＭＨｚ刻みで受信チャネルのセンタ周波数が使用される。ここで、制御部９あるいは制御部９につながる機能ブロック（例えば、表示部１１、カメラ１０、操作部８、メモリ２０）で使用するクロックの周波数を１２．０ＭＨｚとした場合、１２．０ＭＨｚの７８次高調波である９３６．０ＭＨｚの高周波ノイズがＧＳＭの受信帯域に干渉する。周波数が１２．０ＭＨｚのクロック信号の７８次高調波である９３６．０ＭＨｚはＧＳＭシステムの受信チャネルのセンタ周波数となることから、ダイレクトコンバージョンミクサ１２への入力信号に高周波ノイズとして混入したクロック信号の高調波は、ダイレクトコンバージョンミクサ１２にてミキシングされてＤＣ成分に変換される。したがって、ダイレクトコンバージョン受信機の有するＤＣオフセットのキャンセル機能により、ノイズは抑圧される。
【００２０】
図５は、局部発振器信号以外の信号がノイズとしてミクサ入力側に干渉した場合に、ノイズを除去する処理を説明する説明図である。図５（ａ）は、ダイレクトコンバージョンミクサに入力される信号、図５（ｂ）はＡ／Ｄ変換器に入力される信号を示す。図５において、細い点線は受信チャネル（所望信号）のセンタ周波数、太線はノイズ、太い点線は抑圧されたノイズ、網掛け部は所望信号を示す。ここで、高周波ノイズが受信チャネルのセンタ周波数（局部発振器周波数）と同一であった場合について考える。図５（ａ）のように、高周波ノイズ成分が局部発振器信号と同一周波数であった場合には、ダイレクトコンバージョンミクサ１２にてベースバンド信号に変換されたノイズ成分はＤＣ成分となる。したがって、ＤＣオフセットのキャンセル機能によりノイズ成分が抑圧される（図５（ｂ））。このため、この場合においては、ノイズによる受信性能の劣化の軽減が可能となる。
【００２１】
ＧＳＭシステムにおいては０．２ＭＨｚのチャネル間隔であり、受信チャネルのセンタ周波数は０．２ＭＨｚの整数倍で設定されているため、ある特定周波数の高調波（整数倍）が、必ず受信チャネルのセンタ周波数にするためには、ある特定周波数はｎ×０．２ＭＨｚ（n:整数）であれば良い。ＧＳＭシステムにおいては例えば９２５．２ＭＨｚから９５９．８ＭＨｚと約３５ＭＨｚの受信帯域を有しており、受信帯域に高調波が干渉することを避けるよう３５ＭＨｚ以上のクロックを選択することも考えられるが、機能ブロックの制限等により受信帯域に高調波が干渉することを避けるようなクロック周波数を選択できない場合に、本提案に基づくクロック周波数の選択が有効となる。なお、制御部につながる機能ブロック、例えば表示部１１、カメラ１０、操作部８、メモリ２０などの全ての機能ブロックが、ある特定のクロック周波数を使用しても良いし、一部の機能ブロックのみが使用しても構わない。この場合、各機能ブロックにおいて、基準発振器１３ａから供給されたクロック信号を逓倍ないし分周して所望のクロック周波数に変更すればよい。
【００２２】
上記説明のとおり、メモリ２０などの電子部品を駆動するためのクロック信号の高調波が、高周波ノイズとしてダイレクトコンバージョンミクサ１２の入力信号に干渉した場合に、受信性能の劣化の軽減が可能である。つまり、表示部の信号線などに従来必要であった高周波ノイズ抑制のための磁性シートや、フィルタなどのシールド対策部材が不要となり、携帯電話機の小型化・薄型化・低価格化が可能となる。
【００２３】
実施の形態２．
図６は、本発明の実施の形態２に係る携帯通信端末の構成を示すブロック図である。図６において、図１と同一の符号は同一または相当部分を示すので説明は省略する。実施の形態１に係る携帯通信端末は、図１に示すように、カメラ１０、表示部１１、メモリ２０など電子部品を駆動するクロック信号を供給する基準発振器１３ａと、ダイレクトコンバージョンミクサ１２を含む受信部３、送信部４に基準信号を供給する基準発振器１３ｂとを備えていた。一方、実施の形態２にかかる携帯通信端末は、受信部３に基準信号を供給する基準発振器と、電子部品にクロック信号を供給する基準発振器とを共用し、図１に示す基準発振器１３ｂからの基準信号を用いてクロック信号を生成するものである。特に、電子部品に供給するクロック信号の周波数が、受信部に供給する基準信号と同じ周波数を使える場合に有効である。
【００２４】
メモリなどの電子部品を駆動するクロック信号供給用に基準発振器を設ける必要がないので、携帯電話機の小型化、低価格化に更に貢献するものである。また、受信部３で使用の基準発振器は無線システムと精度良く周波数が一致しているため、制御部１９で使用するクロックの高調波の周波数を、システムの受信チャネルのセンタ周波数と精度良く一致させることができる。これによりダイレクトコンバージョンミクサ１２から出力されるノイズ成分は理想に近いＤＣの周波数成分となり、ＤＣオフセットのキャンセル機能の効果を最大限に活用可能となる。
【００２５】
実施の形態３．
実施の形態２にかかる携帯通信端末は、受信部３に基準信号を供給する基準発振器と、電子部品にクロック信号を供給する基準発振器とを共用し、図１に示す基準発振器１３ｂからの基準信号を用いてクロック信号を生成することとした。このように、受信部３に基準信号を供給する基準発振器と、電子部品にクロック信号を供給する基準発振器とを共用することにより、メモリなどの電子部品を駆動するクロック信号供給用に基準発振器を設ける必要がなくなり、携帯電話機の小型化、低価格化に資するという効果があった。また、受信部３で使用の基準発振器は無線システムと精度良く周波数が一致しているため、制御部１９で使用するクロックの高調波の周波数を、システムの受信チャネルのセンタ周波数と精度良く一致させることができるという効果もあった。
【００２６】
以下、説明する本発明の実施の形態３に係る携帯通信端末は、実施の形態２にかかる携帯通信端末と同様、受信部３に基準信号を供給する基準発振器と、電子部品にクロック信号を供給する基準発振器とを共用しながら、図６に示す制御部１９に、メモリなどの電子部品を駆動するクロック信号の周波数を任意の周波数に設定する手段を備え、制御部１９において任意の周波数に設定されたクロック信号を電子部品に供給するように構成したものである。
【００２７】
具体的には、制御部１９あるいは制御部１９につながる機能ブロック（例えば、表示部１１、カメラ１０、操作部８、メモリ２０）をある特定のクロック周波数で動作させるため、制御部１９は、受信部３に供給する基準信号、すなわち、基準発振器１３から出力される信号を基準に、新たにクロックを生成する手段を有する。これにより、制御部１９内で任意の周波数の生成、利用を可能とする。新たにクロックを生成させる手段の一例としてはＰＬＬシンセサイザがある。また、逓倍回路や分周回路も新たにクロックを生成させる手段の一例である。なお、制御部１９につながる機能ブロック、例えば表示部１１、カメラ１０、操作部８、メモリ２０などの全ての機能ブロックが、制御部１９内で新たに生成させたクロックを使用してもよいし、一部の機能ブロックのみが使用するようにしてもよい。また、上記全ての機能ブロックがある特定のクロック周波数を使用してもよいし、一部の機能ブロックのみが使用するようにしてもよい。ある特定のクロック周波数は唯一に限定されるものではなく、使用する無線通信システムの受信チャネルのセンタ周波数にクロックの高調波が干渉するよう選択すれば良く、複数の周波数が該当することから、個別の機能ブロック毎や、複数の機能ブロック毎に、特定のクロック周波数を複数設定しても構わない。
【００２８】
上記説明のように、受信部３に基準信号を供給する基準発振器と、電子部品にクロック信号を供給する基準発振器とを共用し、かつ、制御部１９に、メモリなどの電子部品を駆動するクロック信号の周波数を任意の周波数に設定する手段を備えることにより、メモリなどの電子部品を駆動するクロック信号供給用に基準発振器を設ける必要がなくなり、携帯電話機の小型化、低価格化に資するという効果、制御部１９で使用するクロックの高調波周波数を、システムの受信チャネルのセンタ周波数と精度良く一致させることができるという、上記実施の形態１及び２と同様の効果を奏する。また、制御部１９あるいは制御部１９につながる機能ブロック（例えば、表示部１１、カメラ１０、操作部８、メモリ２０）のクロック周波数を、受信部３のクロック周波数に束縛されること無く任意に設定できるため、電子部品の用途やスペックに応じた高いクロック周波数に設定でき、制御部の高機能化に対応可能である。
【００２９】
例えば、制御部１９あるいは制御部１９につながる機能ブロック（例えば、表示部１１、カメラ１０、操作部８、メモリ２０）で使用するクロックの周波数を、３０．０ＭＨｚと比較的高い周波数に設定した場合に、実施の形態１で説明したＧＳＭシステムを例にとると、制御部１９で使用するクロックの周波数３０．０ＭＨｚの３１次高調波である９３０．０ＭＨｚの高周波ノイズがＧＳＭの受信帯域に干渉する．しかし、９３０．０ＭＨｚはＧＳＭシステムの受信チャネルのセンタ周波数となることからダイレクトコンバージョン受信機の有するＤＣオフセットキャンセル機能により、Ａ／Ｄ変換器１７（図２参照）に入力される時点ではノイズは抑圧される。よって、制御部１９や機能ブロックで使用するクロック信号の高調波のノイズによる受信性能の劣化の軽減が可能である。
【００３０】
また、ワンセグ（地上波デジタルテレビ放送）では、「４７３―１／１４＋(ｃｈ―１３)×６〜４７３＋５／１４＋(ｃｈ―１３)×６ＭＨｚ（ch：13〜62の整数）」で表される帯域が使用され、１３から６２の各チャネルは６ＭＨｚ毎に設定される。例えば、１３チャネルの帯域はおおよそ４７２．９〜４７３．４ＭＨｚ、１４チャネルの帯域はおおよそ４７８．９〜４７９．４ＭＨｚとなる。ここで６ＭＨｚの逓倍に着目すると、１３チャネル近傍の逓倍周波数は４６８ＭＨｚ（７８倍）や４７４ＭＨｚ（７９倍）であり、１３チャネルの帯域から最も近い周波数でも０．６ＭＨｚ離れることとなり、６ＭＨｚのクロックを用いた場合に、クロックの高調波は１３チャネルの帯域内に干渉することを避けることができる。ワンセグの１３から６２の各チャネルは６ＭＨｚ毎に設定されることから、６ＭＨｚのクロックを用いた場合に、全ての帯域においても、６ＭＨｚのクロックの高調波は帯域から０．６ＭＨｚ離れとなる。よって、全てのワンセグ帯域において、６ＭＨｚのクロックの高調波は帯域内に干渉することを避けることができ、６ＭＨｚのクロックを採用した場合にはクロックの高調波によるワンセグの受信感度の劣化を回避することが可能である。有効なクロックは６ＭＨｚの唯一ではなく、ｍ×６ＭＨｚ（m:整数）であれば良い。３０．０ＭＨｚのクロックは前述の条件を満足するものであり、クロックの高調波によるワンセグの受信感度の劣化を回避することが可能である。
【００３１】
さらに、３０．０ＭＨｚのクロックを用いた場合には、Ｗ―ＣＤＭＡで良く使用される８７５〜８８５ＭＨｚ、１８７０〜１８８０ＭＨｚ、２１３０〜２１５０ＭＨｚの帯域内（帯域内に、帯域の境界の周波数は含めない）にクロックの高調波が干渉することを防止できるという効果も得られる。このため、ＧＳＭシステムとＷ―ＣＤＭＡシステムのデュアルモードに対応する、ダイレクトコンバージョンミクサを使用した携帯電話機では、両方のシステムにおいて、クロックの高調波のノイズによる、受信性能の劣化の軽減が可能である。上記効果により、表示部の信号線などに従来必要であった高周波ノイズ抑制のための磁性シートや、フィルタなどのシールド対策部材が不要となり、携帯電話機の小型化・薄型化・低価格化が可能となる。また、高いクロック周波数に設定可能であることから携帯電話機の高機能化や信号処理の高速化に適応可能である。
【図面の簡単な説明】
【００３２】
【図１】本発明の実施の形態１に係る携帯通信端末の構成を示すブロック図である。
【図２】ダイレクトコンバージョンミクサ方式の受信部の構成を示すブロック図である。
【図３】ＤＣカットコンデンサによるＤＣオフセットをキャンセルする処理を説明する説明図である。
【図４】局部発振器信号以外の信号がノイズとしてミクサ入力側に干渉した場合の処理を説明する説明図である。
【図５】局部発振器信号以外の信号がノイズとしてミクサ入力側に干渉した場合に、ノイズを除去する処理を説明する説明図である。
【図６】本発明の実施の形態２に係る携帯通信端末の構成を示すブロック図である。
【図７】一般的な携帯通信端末の構成を示すブロック図である。
【符号の説明】
【００３３】
１  アンテナ、２  アンテナ共用器、３  受信部、４  送信部、５  信号処理部、
６  マイク、７  レシーバ、８  操作部、９  制御部、
１０  カメラ、１０ａ  カメラ１０の信号線、
１１  表示部、１１ａ  表示部１１の信号線、
１２  ダイレクトコンバージョンミクサ、
１３、１３ａ、１３ｂ  基準発振器、
１４  フィルタ、１５  増幅器、１６  ＤＣカットコンデンサ、
１７  Ａ／Ｄ変換器、１８  局部発振器、１９  制御部、２０  メモリ、
２１  高周波ノイズ抑制のための磁性シート、２２  高周波ノイズ抑制のためのフィルタ
【図１】
0004941237.tif 000002
【図２】
0004941237.tif 000003
【図３】
0004941237.tif 000004
【図４】
0004941237.tif 000005
【図５】
0004941237.tif 000006
【図６】
0004941237.tif 000007
【図７】
0004941237.tif 000008